(57)【要約】      （修正有）【課題】粘着セロテープを収納保持する粘着セロテープホルダーの改良に依って、有効活用の出来る機能を付加した粘着セロテープホルダーの提供。【解決手段】中空軸１とガイド穴２付きカッター柱３とでなる上板４の中空軸１に差し込まれた回動自在な粘着テープＡは、中空ガイド６とガイドピン７とでなる下板５との間に着脱自在に保持されて、粘着セロテープＡの引き取りと切断とメンテナンスを可能にした粘着セロテープホルダーにおいて、中空軸１或いは中空ガイド６の中空部を容器の一部として拡張するキャップ体８付き容器９を一体化装着し、中空軸１か中空ガイド６の何れかに底１０をつけて成るこれらの容器９にゼムクリップＢや画鋲Ｃ等の小物を出し入れ自在な多目的容器を付加する。【選択図】図１
0003134597.tif 000002
【実用新案登録請求の範囲】
【請求項１】
中空軸（１）とガイド穴（２）付きカッター柱（３）とでなる上板（４）の中空軸（１）に差し込まれた回動自在な粘着テープ（Ａ）は、中空ガイド（６）とガイドピン（７）とでなる下板（５）との間に着脱自在に保持されて、粘着セロテープ（Ａ）の引き取りと切断とメンテナンスを可能にした粘着セロテープホールダーにおいて、前記する中空軸（１）或いは中空ガイド（６）の中空部を容器の一部として拡張するキャップ体（８）付き容器（９）を一体化装着し、中空軸（１）か中空ガイド（６）の何れかに底（１０）をつけて成るこれらの容器（９）にゼムクリップ（Ｂ）や画鋲（Ｃ）等の小物を出し入れ自在な多目的容器にした事を特徴とする粘着セロテープホルダー。
【請求項２】
前記する容器（９）の開口部に設けた着脱自在に係止するキャップ体（８）の内面に、一体化構成するケース体（１１）に止めネジ（１１ｂ）を介しカッター（１１ａ）を装着し、該キャップ体（８）の頂部に開口する鉛筆穴（８ａ）に差し込まれた鉛筆（Ｄ）がカッター（１１ａ）と接合あいまって鉛筆（Ｄ）が削られ、削りかすは容器（９）に収納可能にしたことを特徴とする請求項１記載の粘着セロテープホルダー。
【考案の詳細な説明】
【技術分野】
【０００１】  この考案はプリントなどを貼り付けたり、プリント同志を次ぎ合わせたり或いは買い物袋の封印、包装にと業務上や日常生活、事務作業に広く使われる粘着セロテープを収納保持する為の粘着セロテープホルダーに関する。
【背景技術】
【０００２】  この種の従来の技術として古くから知られ、広く使われている粘着セロテープホルダーは、業務用とか家庭或いは文具用品として、ローラ状に巻き込まれた粘着セロテープを収納保持し、巻きほどいて適当な長さに切り取る為のカッターを具備してなる粘着セロテープホルダーとの二つの要素で構成され商品化されるが、粘着セロテープは消耗品の為スペア−として個別に逐次調達されメンテナンスされが、粘着セロテープホルダーは常備品として身近に置いて粘着セロテープとセットすることのみ利用活用される。【０００３】  このように、二つの要素で構成される粘着セロテープを保持する粘着セロテープホルダーは、合成樹脂製の上板と下板とのそれぞれの間に粘着セロテープを挟着し出し入れを自在にしてる。即ち、上板は片面に直立一体化する中空軸とガイド穴付きでのカッター柱とが設けられ、且つ一方の下板は中空ガイドとガイドピンとを片面に一体化し、粘着セロテープは上板に設けた丸状の中空軸に差し込まれ、これらに上板が載せられて並列に配置する事で、上板の中空軸に下板の中空ガイドが差し込まれ、且つ上板のカッター柱に開口するガイド穴には下板に設けたガイドピンが圧入差し込まれ、上板と下板との双方でもって回動自在に粘着セロテープがセッテングされ、使い尽くされた後、圧入結合された上板と下板とを分離し、新品の粘着テープが入れかえられ収納自在でなる構成である。
【考案の開示】
【考案が解決しようとする課題】
【０００４】  しかしながら上記する従来技術の場合は、頻繁に使う携帯に便利でコンパクトな粘着セロテープは使い切りが早く、ややもすると使いきったままで放置され、粘着テープホルダーのみ放置され、或いは粘着セロテープ使い切れと同時に粘着テープホルダーも廃棄処分し丸ごと新品の粘着テープに切りかえるなどで、粘着テープホルダーは単体では何の活用は出来ずに粘着テープとペアーでしか使えない等の課題が有る。【０００５】  またプリントの掲示止めに粘着セロテープが使えない木製ボード等に出会ってとっさに画鋲等を使いたい時に、画鋲を探したり、買い置きが無いなどで掲示止めに戸惑うなどの課題が有り、更には伝言メモやプリントの仮止めに、ゼムクリップ使いを強いられる時に個別にゼムクリップを調達、持参したりしなければならない等での課題が有る。【０００６】  そしてまたオフィスでの文具用具での鉛筆削り等は他の文具にまぎれたりして探す事の無いように常備する粘着セロテープ等と同居すれば最善であるなどの要望が生まれる。
【課題を解決する為の手段】
【０００７】  この考案はかかる課題を解決する為に、請求項１での考案は図１、２、３で述べる様に、中空軸１とガイド穴２付きカッター柱３とでなる上板４の中空軸１に差し込まれた回動自在な粘着テープＡは、中空ガイド６とガイドピン７とでなる下板５との間に着脱自在に保持されて、粘着セロテープの巻き取り切断とメンテナンスが出来る構成で、前記する中空軸１或いは中空ガイド６の中空部を容器の一部として拡張するキャップ体８付き容器９を一体化装備し、中空軸１か中空ガイド６の何れかに底１０をつけてなるこれらの容器９にゼムクリップ（Ｂ）や画鋲（Ｃ）等の小物を出し入れ自在な多目的容器を付加した構成とする。
【０００８】  次ぎに請求請２での考案は図４で延べるように、前記する容器９の開口部に設けた着脱自在に係止するキャップ体８の内面に、一体化構成するケース体１１に止めネジ１１ｂを介しカッター１１ａを装着し、該キャップ体８の頂部に開口する鉛筆穴８ａに差し込まれた鉛筆Ｄがカッター１１ａと接合あいまって鉛筆Ｄが回動に依って削られ、削りかすは容器９に収納可能な構成にする。
【発明の効果】
【０００９】  本考案は上述の通り作用構成するので次ぎの優れた効果を奏する。請求項１での考案では、粘着テープを収納保持する粘着セロテープホルダーに小物入れ容器を一体化した事で、粘着テープ貼り作業の現場にゼムクリップや画鋲或いはインデックス、消しゴム等の用品を同時携帯出来る省スペースでなる粘着セロテープホルダーを提供することができる。
【００１０】  また請求項２の考案では文具用品での鉛筆削りをキャップを介して合体し、削りかすが飛び散る事無く容器内に封じ込める事の出来る鉛筆削り器を複合するなどして、粘着セロテープホルダー単体に新しい機能を付加する事で、商品価値を高め利便性の高い粘着セロテープホルダーを提供することができる。
【考案を実施する為の最良の形態】
【００１１】  以下に図示の実施例に基づいて本考案を更に詳細に説明する。即ち図１は本考案での第一実施例での完成品の使用例を示す一部断面での斜視図で、図２は一部断面での分解斜視図で図３は要部での斜視図である。これらは合成樹脂材で成形加工での３つの要素部品がら構成し、１つは上板４で一つは下板５でもう一つはキャップ体８での３部品構成である。
【００１２】  これらの図面を併用して述べるに、板状の上板４は、端部に粘着テープＡの中心穴ａが差し込み自在の太さから成る中空軸１が直立し、其の中空部の片方の開口部からやや離れて底１０が設けられ、片方の開口部は小物を収納出来る空間の延長でなる容器９が上板４の片面に伸び、これらの開口部に係合するキャップ体８は着脱自在に構成し、本実施例ではネジ式にて着脱自在にするが、図３の要部斜視図で述べるように、キャップ体８の頂部を開口し、ヒンジ１２ａ付きでなる蓋１２を設け、蓋１２付きキャップ体８にする事で容器９内に収納した小物の出し入れにキャップ体８を其の都度取り外しのする事のない構成でも良い。
【００１３】  これらの容器９を具備する上板４の他方の端部に、粘着テープＡを所定の長さに切断する為のノコ刃形状付きのカッター柱３が中空軸１と並列して一体化直立し、これらの側面に所定の太さと深さで成るガイド穴２を開口する。
【００１４】  次ぎに板状の下板５の端部には、前記上板４の粘着テープＡの差し込まれる中空軸１の中空部の底１０付きの開口部に圧入差し込み自在で成る所定の太さと長さから成る中空ガイド６を直立し、更に他方の端部に、前記する上板４のカッター柱３に開口するガイド穴２に圧入差し込み自在で成る所定の太さと長さから成るガイドピン７を下板５面に直立一体化で構成する。
【００１５】  このように上板４に一体化する細長い筒状の小物を出し入れするのに設けた底１０の付いた容器９の形態は特定するもので無く、変形ものでも扁平ものでも良く、上板の中空軸１の中空部を容器９の一部とし有効活用することで省スペースの容器９にし、携帯に好都合で使い易い粘着セロテープ形態が好ましい。
【００１６】  次ぎに本考案での第二実施例を図４の一部断面で分解の全体斜視図で述べるに、前記する容器９の開口部に設けた着脱自在に係止するキャップ体８の内面に、鉛筆削りを一体化したキャップ体８にし、削りかすは容器９内に落として貯め、適時にキャップ体８を外しては削りかすをゴミ箱に捨てることも自在な構成で、即ち、金属製の小さなカッター１１ａは止めネジ１１ｂを使ってキャップ体８に一体化して成るケース体１１に固着し、これらのカッター１１で鉛筆Ｄを削るのに、鉛筆Ｄの出し入れ出来る鉛筆穴８ａはキャップ体８の頂部に開口し、この丸い鉛筆穴８ａに差し込んだ鉛筆Ｄがカッターに接合しあいまって削られる構成で、キャップ体８の鉛筆削り器は容器９に収納されて使うが、キャップ体９単体で、容器９から取り外して使うなども出来る構成とする。
【００１７】  上記する容器９の開口部に設けた着脱自在のキャップ体８はネジ式或いは圧入差し込みや、ヒンジ付き開閉蓋などの形態は様様で特定するもので無く、開口部のサイズにも大小様様で容器９デッサンにマッチした形態を創作すらのは当然であり、更には容器９を本考案での上板４搭載から下板５搭載にするのも又は両方の板４、５に搭載するなども良く本実施例は実用面で最適な構成を述べるものである。
【図面の簡単な説明】
【００１８】
【図１】  本考案に係わる第一実施例での一部断面での全体と要部の斜視図である
【図２】  本考案に係わる第一実施例での一部断面での分解斜視図である
【図３】  本考案に係わる第一実施例での要部分解斜視図である
【図４】  本考案に係わる第二実施例での一部分解の全体斜視図である
【符合の説明】
Ａ    粘着セロテープ
Ｂ    ゼムクリップ
Ｃ    画鋲
Ｄ    鉛筆
１    中空軸
２    ガイド穴
３    カッター柱
４    上板
５    下板
６    中空ガイド
７    ガイドピン
８    キャップ体
８ａ  鉛筆穴
９    容器
１０    底
１１    ケース体
１１ａ  カッター
１１ｂ  止めネジ
１２    蓋
【図１】
0003134597.tif 000003
【図２】
0003134597.tif 000004
【図３】
0003134597.tif 000005
【図４】
0003134597.tif 000006
【手続補正書】
【提出日】平成19年5月17日(2007.5.17)
【手続補正１】
【補正対象書類名】実用新案登録請求の範囲
【補正対象項目名】全文
【補正方法】変更
【補正の内容】
【実用新案登録請求の範囲】
【請求項１】
中空軸（１）とガイド穴（２）付きカッター柱（３）とでなる上板（４）の中空軸（１）に差し込まれた回動自在な粘着セロハンテープ（Ａ）は、中空ガイド（６）とガイドピン（７）とでなる下板（５）との間に着脱自在に保持されて、粘着セロハンテープ（Ａ）の引き取りと切断とメンテナンスを可能にした粘着セロハンテープホールダーにおいて、前記する中空軸（１）或いは中空ガイド（６）の中空部を容器の一部として拡張するキャップ体（８）付き容器（９）を一体化装着し、中空軸（１）か中空ガイド（６）の何れかに底（１０）をつけて成るこれらの容器（９）にゼムクリップ（Ｂ）や画鋲（Ｃ）等の小物を出し入れ自在な多目的容器にした事を特徴とする粘着セロハンテープホルダー。
【請求項２】
前記する容器（９）の開口部に設けた着脱自在に係止するキャップ体（８）の内面に、一体化構成するケース体（１１）に止めネジ（１１ｂ）を介しカッター（１１ａ）を装着し、該キャップ体（８）の頂部に開口する鉛筆穴（８ａ）に差し込まれた鉛筆（Ｄ）がカッター（１１ａ）と接合あいまって鉛筆（Ｄ）が削られ、削りかすは容器（９）に収納可能にしたことを特徴とする請求項１記載の粘着セロハンテープホルダー。
【手続補正２】
【補正対象書類名】明細書
【補正対象項目名】全文
【補正方法】変更
【補正の内容】
【考案の詳細な説明】
【技術分野】
【０００１】  この考案はプリントなどを貼り付けたり、プリント同志を次ぎ合わせたり或いは買い物袋の封印、包装にと業務上や日常生活、事務作業に広く使われる粘着セロハンテープを収納保持する為の粘着セロハンテープホルダーに関する。
【背景技術】
【０００２】  この種の従来の技術として古くから知られ、広く使われている粘着セロハンテープホルダーは、業務用とか家庭或いは文具用品として、ローラ状に巻き込まれた粘着セロハンテープを収納保持し、巻きほどいて適当な長さに切り取る為のカッターを具備してなる粘着セロハンテープホルダーとの二つの要素で構成され商品化されるが、粘着セロハンテープは消耗品の為スペア−として個別に逐次調達されメンテナンスされが、粘着セロハンテープホルダーは常備品として身近に置いて粘着セロハンテープとセットすることのみ利用活用される。【０００３】  このように、二つの要素で構成される粘着セロハンテープを保持する粘着セロハンテープホルダーは、合成樹脂製の上板と下板とのそれぞれの間に粘着セロハンテープを挟着し出し入れを自在にしてる。即ち、上板は片面に直立一体化する中空軸とガイド穴付きでのカッター柱とが設けられ、且つ一方の下板は中空ガイドとガイドピンとを片面に一体化し、粘着セロハンテープは上板に設けた丸状の中空軸に差し込まれ、これらに上板が載せられて並列に配置する事で、上板の中空軸に下板の中空ガイドが差し込まれ、且つ上板のカッター柱に開口するガイド穴には下板に設けたガイドピンが圧入差し込まれ、上板と下板との双方でもって回動自在に粘着セロハンテープがセッテングされ、使い尽くされた後、圧入結合された上板と下板とを分離し、新品の粘着セロハンテープが入れかえられ収納自在でなる構成である。
【考案の開示】
【考案が解決しようとする課題】
【０００４】  しかしながら上記する従来技術の場合は、頻繁に使う携帯に便利でコンパクトな粘着セロハンテープは使い切りが早く、ややもすると使いきったままで放置され、粘着セロハンテープホルダーのみ放置され、或いは粘着セロハンテープ使い切れと同時に粘着セロハンテープホルダーも廃棄処分し丸ごと新品の粘着セロハンテープに切りかえるなどで、粘着セロハンテープホルダーは単体では何の活用は出来ずに粘着セロハンテープとペア−でしか使えない等の課題が有る。【０００５】  またプリントの掲示止めに粘着セロハンテープが使えない木製ボード等に出会ってとっさに画鋲等を使いたい時に、画鋲を探したり、買い置きが無いなどで掲示止めに戸惑うなどの課題が有り、更には伝言メモやプリントの仮止めに、ゼムクリップ使いを強いられる時に個別にゼムクリップを調達、持参したりしなければならない等での課題が有る。【０００６】  そしてまたオフィスでの文具用具での鉛筆削り等は他の文具にまぎれたりして探す事の無いように常備する粘着セロハンテープ等と同居すれば最善であるなどの要望が生まれる。
【課題を解決する為の手段】
【０００７】  この考案はかかる課題を解決する為に、請求項１での考案は図１、２、３で述べる様に、中空軸１とガイド穴２付きカッター柱３とでなる上板４の中空軸１に差し込まれた回動自在な粘着セロハンテープＡは、中空ガイド６とガイドピン７とでなる下板５との間に着脱自在に保持されて、粘着セロハンテープの巻き取り切断とメンテナンスが出来る構成で、前記する中空軸１或いは中空ガイド６の中空部を容器の一部として拡張するキャップ体８付き容器９を一体化装備し、中空軸１か中空ガイド６の何れかに底１０をつけてなるこれらの容器９にゼムクリップ（Ｂ）や画鋲（Ｃ）等の小物を出し入れ自在な多目的容器を付加した構成とする。
【０００８】  次ぎに請求請２での考案は図４で延べるように、前記する容器９の開口部に設けた着脱自在に係止するキャップ体８の内面に、一体化構成するケース体１１に止めネジ１１ｂを介しカッター１１ａを装着し、該キャップ体８の頂部に開口する鉛筆穴８ａに差し込まれた鉛筆Ｄがカッター１１ａと接合あいまって鉛筆Ｄが回動に依って削られ、削りかすは容器９に収納可能な構成にする。
【発明の効果】
【０００９】  本考案は上述の通り作用構成するので次ぎの優れた効果を奏する。請求項１での考案では、粘着セロハンテープを収納保持する粘着セロハンテープホルダーに小物入れ容器を一体化した事で、粘着セロハンテープ貼り作業の現場にゼムクリップや画鋲或いはインデックス、消しゴム等の用品を同時携帯出来る省スペースでなる粘着セロハンテープホルダーを提供することができる。
【００１０】  また請求項２の考案では文具用品での鉛筆削りをキャップを介して合体し、削りかすが飛び散る事無く容器内に封じ込める事の出来る鉛筆削り器を複合するなどして、粘着セロハンテープホルダー単体に新しい機能を付加する事で、商品価値を高め利便性の高い粘着セロハンテープホルダーを提供することができる。
【考案を実施する為の最良の形態】
【００１１】  以下に図示の実施例に基づいて本考案を更に詳細に説明する。即ち図１は本考案での第一実施例での完成品の使用例を示す一部断面での斜視図で、図２は一部断面での分解斜視図で図３は要部での斜視図である。これらは合成樹脂材で成形加工での３つの要素部品がら構成し、１つは上板４で一つは下板５でもう一つはキャップ体８での３部品構成である。
【００１２】  これらの図面を併用して述べるに、板状の上板４は、端部に粘着セロハンテープＡの中心穴ａが差し込み自在の太さから成る中空軸１が直立し、其の中空部の片方の開口部からやや離れて底１０が設けられ、片方の開口部は小物を収納出来る空間の延長でなる容器９が上板４の片面に伸び、これらの開口部に係合するキャップ体８は着脱自在に構成し、本実施例ではネジ式にて着脱自在にするが、図３の要部斜視図で述べるように、キャップ体８の頂部を開口し、ヒンジ１２ａ付きでなる蓋１２を設け、蓋１２付きキャップ体８にする事で容器９内に収納した小物の出し入れにキャップ体８を其の都度取り外しのする事のない構成でも良い。
【００１３】  これらの容器９を具備する上板４の他方の端部に、粘着セロハンテープＡを所定の長さに切断する為のノコ刃形状付きのカッター柱３が中空軸１と並列して一体化直立し、これらの側面に所定の太さと深さで成るガイド穴２を開口する。
【００１４】  次ぎに板状の下板５の端部には、前記上板４の粘着セロハンテープＡの差し込まれる中空軸１の中空部の底１０付きの開口部に圧入差し込み自在で成る所定の太さと長さから成る中空ガイド６を直立し、更に他方の端部に、前記する上板４のカッター柱３に開口するガイド穴２に圧入差し込み自在で成る所定の太さと長さから成るガイドピン７を下板５面に直立一体化で構成する。
【００１５】  このように上板４に一体化する細長い筒状の小物を出し入れするのに設けた底１０の付いた容器９の形態は特定するもので無く、変形ものでも扁平ものでも良く、上板の中空軸１の中空部を容器９の一部とし有効活用することで省スペースの容器９にし、携帯に好都合で使い易い粘着セロハンテープ形態が好ましい。
【００１６】  次ぎに本考案での第二実施例を図４の一部断面で分解の全体斜視図で述べるに、前記する容器９の開口部に設けた着脱自在に係止するキャップ体８の内面に、鉛筆削りを一体化したキャップ体８にし、削りかすは容器９内に落として貯め、適時にキャップ体８を外しては削りかすをゴミ箱に捨てることも自在な構成で、即ち、金属製の小さなカッター１１ａは止めネジ１１ｂを使ってキャップ体８に一体化して成るケース体１１に固着し、これらのカッター１１で鉛筆Ｄを削るのに、鉛筆Ｄの出し入れ出来る鉛筆穴８ａはキャップ体８の頂部に開口し、この丸い鉛筆穴８ａに差し込んだ鉛筆Ｄがカッターに接合しあいまって削られる構成で、キャップ体８の鉛筆削り器は容器９に収納されて使うが、キャップ体９単体で、容器９から取り外して使うなども出来る構成とする。
【００１７】  上記する容器９の開口部に設けた着脱自在のキャップ体８はネジ式或いは圧入差し込みや、ヒンジ付き開閉蓋などの形態は様様で特定するもので無く、開口部のサイズにも大小様様で容器９デッサンにマッチした形態を創作すらのは当然であり、更には容器９を本考案での上板４搭載から下板５搭載にするのも又は両方の板４、５に搭載するなども良く本実施例は実用面で最適な構成を述べるものである。
【図面の簡単な説明】
【００１８】
【図１】  本考案に係わる第一実施例での一部断面での全体と要部の斜視図である
【図２】  本考案に係わる第一実施例での一部断面での分解斜視図である
【図３】  本考案に係わる第一実施例での要部分解斜視図である
【図４】  本考案に係わる第二実施例での一部分解の全体斜視図である
【符合の説明】
Ａ    粘着セロハンテープ
Ｂ    ゼムクリップ
Ｃ    画鋲
Ｄ    鉛筆
１    中空軸
２    ガイド穴
３    カッター柱
４    上板
５    下板
６    中空ガイド
７    ガイドピン
８    キャップ体
８ａ  鉛筆穴
９    容器
１０    底
１１    ケース体
１１ａ  カッター
１１ｂ  止めネジ
１２    蓋